(57)【要約】      （修正有）【課題】磁性吸着性紙の提供。【解決手段】底紙１、界面コート層２、及び磁性吸着材料コート層３を具え、該界面コート層が該底紙の少なくとも一つの表面に配設され、更に該磁性吸着材料コート層が該界面コート層の表面にコーティングされ、該界面コート層の設置により、該底紙の吸湿性が減らされ、並びに該底紙の強度が増され、皺の発生が減らされて磁性吸着材料コート層と底紙の結合が更に容易で強固なものとなり、該磁性吸着材料コート層が磁区配向後に、磁性吸着能力の特性を有し、磁性吸着可能な紙を形成する。【選択図】図３
0003108888.tif 000002
【実用新案登録請求の範囲】
【請求項１】
磁性吸着性紙において、
底紙と、
該底紙の少なくとも一つの表面に形成された少なくとも一つの界面コート層と、
該界面コート層の表面に磁性吸着性材料をコーティングして形成された少なくとも一つの磁性吸着材料コート層と、
を具えたことを特徴とする、磁性吸着性紙。
【請求項２】
請求項１記載の磁性吸着性紙において、磁性吸着性材料が、バリウム、ストロンチウム、ルビジウム、コバルト、或いはホウ素の少なくとも一種類を含有して組成され、底紙上に形成された後に、磁区配向により磁性吸着能力を発生することを特徴とする、磁性吸着性紙。
【請求項３】
請求項１記載の磁性吸着性紙において、磁性吸着性材料が、鉄基材料で形成されて、被磁性吸着の特性を具備することを特徴とする、磁性吸着性紙。
【請求項４】
請求項１、２、３のいずれかに記載の磁性吸着性紙において、磁性吸着性コート層が磁性吸着性材料を分散加工助剤と混合して形成されたことを特徴とする、磁性吸着性紙。
【請求項５】
請求項１、２、３のいずれかに記載の磁性吸着性紙において、界面コート層がＰＶＡ、ＵＶ或いは高分子塗料等の防水効果を有する材料を、底紙表面にコーティングして形成されたことを特徴とする、磁性吸着性紙。
【請求項６】
請求項４記載の磁性吸着性紙において、界面コート層がＰＶＡ、ＵＶ或いは高分子塗料等の防水効果を有する材料を、底紙表面にコーティングして形成されたことを特徴とする、磁性吸着性紙。
【請求項７】
請求項４記載の磁性吸着性紙において、分散加工助剤が、消泡剤、防沈剤、ゲル化剤、潤滑剤、顔料分散剤の少なくとも一種類で組成されたことを特徴とする、磁性吸着性紙。
【請求項８】
請求項５記載の磁性吸着性紙において、分散加工助剤が、消泡剤、防沈剤、ゲル化剤、潤滑剤、顔料分散剤の少なくとも一種類で組成されたことを特徴とする、磁性吸着性紙。
【請求項９】
請求項６記載の磁性吸着性紙において、分散加工助剤が、消泡剤、防沈剤、ゲル化剤、潤滑剤、顔料分散剤の少なくとも一種類で組成されたことを特徴とする、磁性吸着性紙。
【考案の詳細な説明】
【技術分野】
【０００１】
本考案は磁性吸着性紙の構造に係り、特に、撓み性を有し、軽量で薄く、且つ磁性吸着性を具えた紙構造に関する。
【背景技術】
【０００２】
磁性体を利用して鉄成分を含有する表面に吸着させる技術の応用は非常に普及しており、よく見られるものとして、磁石をホワイトボード或いは鉄質（例えば冷蔵庫）のケースに吸着させて、紙を挟持したり或いは位置の表示を行なう応用があり、そのほかにも広く変化に富んだ応用形態がある。上述の磁性体の応用はいずれもブロック状の固体或いは適宜厚さを有する片体形態で存在し、撓み性不良で且つ折り曲げ難いため、応用上、極めて大きな制限がある。
【０００３】
このような応用上の変化のために、図１に示されるような磁性体構造が提供されており、それは、底材１０（剛性とされるか撓み性を有するものとされ、並びに所定形状に加工されている）の少なくとも一つの表面に磁性材料、例えばバリウム、ストロンチウム、ルビジウム、コバルト、或いはホウ素の原料を主要成分として製造される磁性片層３０が粘着され、並びに該磁性片層３０が磁区配向加工されて磁性を発生し、該底材１０に磁性吸引の特性を具備させる。
【０００４】
しかし、一般に紙（板）は厚さが薄く、柔軟性が良好で、吸湿性が強く且つ破裂しやすい特性を要求されるため、もし直接磁性片層３０が紙（板）表面に貼り付けられると、全体の厚さと柔軟性上、大きな影響が生じ、実用価値が大きく下がる。
【０００５】
また、紙は液体を本体の繊維中に急速に吸入して、紙が液体を吸収することで起伏状の皺を発生し、これにより磁性材料溶液を表面コート層加工に利用すると、溶剤中の液体が強力に吸収されて、磁性材料が乾燥状態下で紙表面に確実に結合せずに脱落しやすくなる。このため、上述の伝統的な各磁性体の加工構造は紙のような磁性加工製品への応用に適合しない。
【０００６】
また、別に、布材質の磁性加工があり、それは布を直接分散加工助剤と混合した磁性材料（鉄粉或いは鉄基材料粉末）中に浸漬し、磁性材料を布の繊維にしみこませた後、ローラで余分の磁性材料を除去し、並びに加圧加工して薄片体となし並びに必要な充磁を行ない、磁性吸着性を有する布製品となしたものである。ただし、このような加工方式は上述の吸水しやすい特性により、紙材物品の加工には適合しない。
【０００７】
以上のように周知の紙材磁性加工には上述の欠点があり、その改善が求められている。
【考案の開示】
【考案が解決しようとする課題】
【０００８】
本考案は一種の磁性吸着性紙を提供することを目的とし、それは、底紙の少なくとも一つの表面に界面コート層が設けられ、該界面コート層の表面に、更に液態の磁性吸着材料が塗布されて磁性吸着材料コート層が形成され、界面コート層処理により表面保護膜が生成され、底紙材料の溶剤に対する吸収性が低減され、最後に形成される磁性吸着材料コート層が、容易且つ強固に底紙表面に結合されて、磁性吸着材料コート層が必要により磁区配向処理後に形成される、磁性を具備し且つ厚さが極めて薄く、柔軟で折り曲げやすい磁性吸着性紙であるものとする。
【０００９】
本考案はまた一種の磁性吸着性紙を提供することを目的とし、それは、底紙の少なくとも一つの表面に設置された界面コート層により、底紙の強度を増し皺の発生を防止した磁性吸着性紙であるものとする。
【課題を解決するための手段】
【００１０】
請求項１の考案は、磁性吸着性紙において、
底紙と、
該底紙の少なくとも一つの表面に形成された少なくとも一つの界面コート層と、
該界面コート層の表面に磁性吸着性材料をコーティングして形成された少なくとも一つの磁性吸着材料コート層と、
を具えたことを特徴とする、磁性吸着性紙としている。
請求項２の考案は、請求項１記載の磁性吸着性紙において、磁性吸着性材料が、バリウム、ストロンチウム、ルビジウム、コバルト、或いはホウ素の少なくとも一種類を含有して組成され、底紙上に形成された後に、磁区配向により磁性吸着能力を発生することを特徴とする、磁性吸着性紙としている。
請求項３の考案は、請求項１記載の磁性吸着性紙において、磁性吸着性材料が、鉄基材料で形成されて、被磁性吸着の特性を具備することを特徴とする、磁性吸着性紙としている。
請求項４の考案は、請求項１、２、３のいずれかに記載の磁性吸着性紙において、磁性吸着性コート層が磁性吸着性材料を分散加工助剤と混合して形成されたことを特徴とする、磁性吸着性紙としている。
請求項５の考案は、請求項１、２、３のいずれかに記載の磁性吸着性紙において、界面コート層がＰＶＡ、ＵＶ或いは高分子塗料等の防水効果を有する材料を、底紙表面にコーティングして形成されたことを特徴とする、磁性吸着性紙としている。
請求項６の考案は、請求項４記載の磁性吸着性紙において、界面コート層がＰＶＡ、ＵＶ或いは高分子塗料等の防水効果を有する材料を、底紙表面にコーティングして形成されたことを特徴とする、磁性吸着性紙としている。
請求項７の考案は、請求項４記載の磁性吸着性紙において、分散加工助剤が、消泡剤、防沈剤、ゲル化剤、潤滑剤、顔料分散剤の少なくとも一種類で組成されたことを特徴とする、磁性吸着性紙としている。
請求項８の考案は、請求項５記載の磁性吸着性紙において、分散加工助剤が、消泡剤、防沈剤、ゲル化剤、潤滑剤、顔料分散剤の少なくとも一種類で組成されたことを特徴とする、磁性吸着性紙としている。
請求項９の考案は、請求項６記載の磁性吸着性紙において、分散加工助剤が、消泡剤、防沈剤、ゲル化剤、潤滑剤、顔料分散剤の少なくとも一種類で組成されたことを特徴とする、磁性吸着性紙としている。
【考案の効果】
【００１１】
本考案は一種の磁性吸着性紙を提供し、それは、底紙の少なくとも一つの表面に界面コート層が設けられ、該界面コート層の表面に、更に液態の磁性吸着材料が塗布されて磁性吸着材料コート層が形成され、界面コート層処理により表面保護膜が生成され、底紙材料の溶剤に対する吸収性が低減され、最後に形成される磁性吸着材料コート層が、容易且つ強固に底紙表面に結合されて、磁性吸着材料コート層が必要により磁区配向処理後に形成される、磁性を具備し且つ厚さが極めて薄く、柔軟で折り曲げやすい磁性吸着性紙であり、また該磁性吸着性紙は、底紙の少なくとも一つの表面に設置された界面コート層により、底紙の強度が増され、皺の発生が防止されている。
【考案を実施するための最良の形態】
【００１２】
図２及び図３は本考案の構造を示す。図示されるように、本考案は、底紙１、界面コート層２、及び磁性吸着材料コート層３（磁粉溶液或いは鉄基材料溶液）を具え、そのうち、該界面コート層２はポリビニルアルコール、ＵＶ或いは高分子塗料等の防水効果を有する材料をコーティング、膜被覆、ローラ加圧加工して底紙１の少なくとも一つの表面に形成され、これにより底紙１の吸湿性を低減し、並びに底紙１の強度を増す。その後、更に、バリウム、ストロンチウム、ルビジウム、コバルト、或いはホウ素等の磁性材料或いは鉄基材料を分散加工助剤と混合して磁性吸着性塗料を形成し、この磁性吸着性塗料を前述の界面コート層２の表面にコーティングして磁性吸着材料コート層３を形成し、磁性吸着材料コート層３は塗料中の加工助剤により底紙１に吸収されず、これによりそれと底紙１の結合が更に容易に、強固となり、底紙１はこれにより皺を発生せず、該磁性吸着材料コート層３は材料特性及び必要に応じて、磁区配向加工された後、その内部の磁性材料が磁性吸着の特性を具備する。これにより、完全な磁性吸着特性を有する紙が形成される。
【００１３】
本考案の上述の構造中、底紙１自身は軽く、薄い特性を有し、更にその外側に組み合わされた磁性吸着材料コート層３の極薄化設置により、原料の消耗が節約され、全体の経済性が高められ、且つこうして加工完成した紙製品は、紙の有する撓み性を具備するほか、巻取り、折り畳み、及び適宜形状に裁断できる特性を有するほか、表面に適宜パターン、文字を印刷でき、その応用上の変化を増すことができる。
【００１４】
以上から分かるように、本考案の磁性吸着性紙は、確実に、軽量で、薄く、撓み性を有し、磁性吸着性を有する効果を達成し、産業上の利用価値、新規性、進歩性を有している。
【００１５】
以上の実施例は本考案の範囲を限定するものではなく、本考案に基づきなしうる細部の修飾或いは改変は、いずれも本考案の請求範囲に属する。
【図面の簡単な説明】
【００１６】
【図１】周知の磁性体加工組成構造表示図である。
【図２】本考案の構造立体図である。
【図３】本考案の構造断面図である。
【符号の説明】
【００１７】
１  底紙
２  界面コート層
３  磁性吸着材料コート層
１０  底材
３０  磁性片層
【図１】
0003108888.tif 000003
【図２】
0003108888.tif 000004
【図３】
0003108888.tif 000005